(57)【特許請求の範囲】
【請求項１】
扉から進退可能なようにラッチ部材が設けられ、該ラッチ部材が進退可能なラッチ受け孔を有するストライク板が扉枠に設けられ、前記ラッチ部材が前記ラッチ受け孔から後退又は反転可能な状態から前記扉の開動を助勢する開力軽減錠であって、
前記ストライク板に形成される切欠部と、
該切欠部に配設される当接部材と、
該当接部材を前記ストライク板から突出する方向に付勢して支持する付勢部材と、
前記扉から進退可能に設けられ、該扉からの突出時に前記当接部材に当接して前記扉を開方向へ助勢する押圧体と、
を備えていることを特徴とする開力軽減錠。
【請求項２】
前記当接部材を覆うように前記ストライク板の裏面側に設けられるトロヨケを備え、前記付勢部材は、前記当接部材と前記トロヨケとの間に介装されるバネであることを特徴とする請求項１に記載の開力軽減錠。
【請求項３】
前記付勢部材は、複数の板バネを重合させることにより構成されており、各板バネの中央部分は表面側に凸状に湾曲され、各板バネの上下両端部はトロヨケの底面に沿って摺動可能に形成されていることを特徴とする請求項２に記載の開力軽減錠。
【請求項４】
前記当接部材の裏面側に配設される受け部材と、
前記当接部材の前記ストライク板からの突出長を調整可能なように前記当接部材と前記受け部材との間に介装される調整部材と、
を備えていることを特徴とする請求項１〜３のいずれか1の請求項に記載の開力軽減錠。
【請求項５】
前記ストライク板の裏面側には、前記当接部材が固定される受け部材が設けられ、該受け部材が前記付勢部材として機能するように構成されていることを特徴とする請求項１に記載の開力軽減錠。
【請求項６】
前記受け部材には、裏面側に向かって凹部が形成されており、該凹部の底面の両端部には裏面側に突出するように弾性部が形成されており、該弾性部は、前記当接部材が押圧されるに従って裏面側への突出長が小さくなるように弾性変形可能に形成されていることを特徴とする請求項５に記載の開力軽減錠。
【請求項７】
前記受け部材の凹部と前記当接部材との間には、該当接部材の前記ストライク板からの突出長を調整可能なように調整部材が介装されていることを特徴とする請求項５又は６に記載の開力軽減錠。
【発明の詳細な説明】
【技術分野】
【０００１】
本発明は、マンションの玄関等の気密な扉に設けられ、室内外に生じた気圧差に抗して扉の開動を助勢する開力軽減錠に関する。
【背景技術】
【０００２】
一般に、マンションや高気密化された住宅などの建物では、密閉状態で換気扇が運転されたりすると、室内の気圧が室外より低くなり、玄関扉の開動に大きな力が必要となり、特に、開動力の小さい子供や高齢者の場合、扉の開動が困難となる。
【０００３】
そこで、従来、扉の円滑な開放を実現可能とするため、室内外に生じる気圧差に抗して扉の開動を助勢する開力軽減錠が提案されている。
【０００４】
例えば、特許文献１に開示される開動助勢錠は、操作軸の回転操作によって、扉側に設けられたこじ開けラッチが扉枠側に設けられた反力部材の角部に当接し、扉を開方向にこじる反力を生じさせ、この反力が扉開動方向の助勢力となり、円滑なドアの開放を可能にしている。
【０００５】
また、特許文献２に開示される扉の構造は、扉の把手の近傍に設けられるレバーの揺動に連動して、扉の木口より突出した突出杆が扉枠に設けられた当接部に当接することにより、扉を開放方向に揺動させ、室内外の気圧差を解消し、円滑な扉の開放を可能にしている。
【先行技術文献】
【特許文献】
【０００６】
【特許文献１】特開２００５−１２７０４４号公報
【特許文献２】特開２００４−２８５６５６号公報
【発明の開示】
【発明が解決しようとする課題】
【０００７】
しかしながら、上記した特許文献１の開動助勢錠における反力部材や特許文献２の扉の構造における当接部は、扉枠から突出するように設けられているため、地震の発生等により扉枠が変形した場合には、前記反力部材や当接部が扉と干渉し、扉を開放できなくなり、緊急時の避難に支障を来す可能性が高くなるといった問題がある。
【０００８】
本発明は、上記した課題を解決すべくなされたものであり、地震の発生等により扉枠が変形した場合でも扉を開放することのできる開力助勢錠を提供することを目的とするものである。
【課題を解決するための手段】
【０００９】
上記した目的を達成するため、本発明は、扉から進退可能なようにラッチ部材が設けられ、該ラッチ部材が進退可能なラッチ受け孔を有するストライク板が扉枠に設けられ、前記ラッチ部材が前記ラッチ受け孔から後退又は反転可能な状態から前記扉の開動を助勢する開力軽減錠であって、前記ストライク板に形成される切欠部と、該切欠部に配設される当接部材と、該当接部材を前記ストライク板から突出する方向に付勢して支持する付勢部材と、前記扉から進退可能に設けられ、該扉からの突出時に前記当接部材に当接して前記扉を開方向へ助勢する押圧体と、を備えていることを特徴とする。
【００１０】
そして、本発明に係る開力軽減錠において、前記当接部材を覆うように前記ストライク板の裏面側に設けられるトロヨケを備え、前記付勢部材は、前記当接部材と前記トロヨケとの間に介装されるバネであることを特徴とする。
【００１１】
また、本発明に係る開力軽減錠において、前記付勢部材は、複数の板バネを重合させることにより構成されており、各板バネの中央部分は表面側に凸状に湾曲され、各板バネの上下両端部はトロヨケの底面に沿って摺動可能に形成されていることを特徴とする。
【００１２】
さらに、本発明に係る開力軽減錠において、前記当接部材の裏面側に配設される受け部材と、前記当接部材の前記ストライク板からの突出長を調整可能なように前記当接部材と前記受け部材との間に介装される調整部材と、を備えていることを特徴とする。
【００１３】
また、本発明に係る開力軽減錠において、前記ストライク板の裏面側には、前記当接部材が固定される受け部材が設けられ、該受け部材が前記付勢部材として機能するように構成されていることを特徴とする。
【００１４】
さらに、前記受け部材が前記付勢部材として機能する本発明に係る開力軽減錠において、前記受け部材には、裏面側に向かって凹部が形成されており、該凹部の底面の両端部には裏面側に突出するように弾性部が形成されており、該弾性部は、前記当接部材が押圧されるに従って裏面側への突出長が小さくなるように弾性変形可能に形成されていることを特徴とする。
【００１５】
さらに、前記受け部材が前記付勢部材として機能する本発明に係る開力軽減錠において、前記受け部材の凹部と前記当接部材との間には、該当接部材の前記ストライク板からの突出長を調整可能なように調整部材が介装されていることを特徴とする。
【発明の効果】
【００１６】
本発明によれば、地震の発生等により扉枠が変形した場合でも扉を開放することができ、緊急時の避難を円滑且つ確実に行うことができる等、種々の優れた効果を得ることができる。
【図面の簡単な説明】
【００１７】
【図１】本発明の第１の実施の形態に係る開力軽減錠の扉枠側の部材を示す正面図である。
【図２】本発明の第１の実施の形態に係る開力軽減錠の扉枠側の部材においてストライク板を外した状態を示す正面図である。
【図３】図１のＡ−Ａ断面図である。
【図４】図１のＢ−Ｂ断面図である。
【図５】本発明の第１及び第２の実施の形態に係る開力軽減錠の扉側の部材を示す側断面図である。
【図６】本発明の第１及び第２の実施の形態に係る開力軽減錠の扉側の部材を示す平断面図である。
【図７】本発明の第１の実施の形態に係る開力軽減錠において当接部材がストライク板の表面まで押圧された状態を示す断面図である。
【図８】本発明の第１の実施の形態に係る開力軽減錠において当接部材及びストライク板が押圧されて付勢部材及びストライク板が弾性変形した状態を示す断面図である。
【図９】本発明の第２の実施の形態に係る開力軽減錠の扉枠側の部材を示す断面図である。
【図１０】本発明の第２の実施の形態に係る開力軽減錠の受け部材を示す正面図である。
【図１１】本発明の第２の実施の形態に係る開力軽減錠の受け部材を示す側面図である。
【図１２】図１０のＣ−Ｃ断面図である。
【図１３】本発明の第２の実施の形態に係る開力軽減錠において当接部材及びストライク板が押圧されて受け部材及びストライク板が弾性変形した状態を示す断面図である。
【発明を実施するための形態】
【００１８】
以下、図面を参照しつつ、本発明の第１の実施の形態に係る開力軽減錠の概略構成について説明する。
【００１９】
本発明の第１の実施の形態に係る開力軽減錠１は、扉枠２の縦枠に取り付けられる扉枠側の部材３と、扉４に取り付けられる扉側の部材５と、を備えて構成されている。この場合、扉４は室外側に開動するように扉枠２に取り付けられており、扉枠２の縦枠には扉４の開動方向反対側に戸当り（図示省略）が形成されている。そして、この戸当りには扉４の閉鎖時に扉４との隙間をシールするパッキン（図示省略）が取り付けられており、室内側が負圧となると、扉４の内側部分がパッキンを介して戸当りに押し付けられるようになっている。
【００２０】
先ず、図１〜図４を参照しながら本発明の第１の実施の形態に係る開力軽減錠の扉枠側の部材３について詳細に説明する。ここで、図１は本発明の第１の実施の形態に係る開力軽減錠の扉枠側の部材を示す正面図、図２は本発明の第１の実施の形態に係る開力軽減錠の扉枠側の部材においてストライク板を外した状態を示す正面図、図３は図１のＡ−Ａ断面図、図４は図１のＢ−Ｂ断面図である。
【００２１】
本実施の形態に係る扉枠側の部材３は、扉枠２の縦枠の木口に設けられるストライク板６と、ストライク板６の裏面側に設けられる可動板８と、可動板８の裏面側に設けられる受け部材９と、可動板８及び受け部材９を覆うようにストライク板６の裏面側に設けられるトロヨケ１０と、を備えている。
【００２２】
ストライク板６は、正面視で上下に縦長の矩形状を成し、その左側部は直角に折り返され、上下端部６ａ，６ｂは傾斜するように裏面側に屈曲されている。そして、ストライク板６には、上下にそれぞれ固定用の丸孔１１が形成され、上下丸孔１１の間に、上側から順に略矩形状のラッチ受け孔１２と切欠部１３とが形成されており、切欠部１３は扉４の開動方向側（図１では左側）の縁部を切り欠くように形成されている。
【００２３】
可動板８は、正面視で上下に縦長の矩形状を成し、その左右両側部１４Ｌ，１４Ｒはそれぞれ直角に折り返されている。そして、可動板８の上下端部には、ストライク板６の丸孔１１に対応する位置に、それぞれ雌ネジが螺刻されたタップ孔１５が形成されており、ストライク板６の表面側から皿ビス１６を丸孔１１に挿通してタップ孔１５に螺入することにより、ストライク板６と可動板８とが一体化されるようになっている。
【００２４】
可動板８の上下タップ孔１５の間には、ストライク板６のラッチ受け孔１２及び切欠部１３に対応する位置に、上側矩形孔１７及び下側矩形孔１８がそれぞれ形成されている。また、可動板８の左右両側部１４Ｌ，１４Ｒの上下端部には、奥行き方向（図１の紙面垂直方向）に長い長孔２１Ｌ，２１Ｒがそれぞれ形成されており、長孔２１Ｌ，２１Ｒは側面視でタップ孔１５と干渉しない位置に配置されている。
【００２５】
受け部材９は、平板をクランク状に屈曲して形成された凹部２２と、可動板８の左右両側部１４Ｌ，１４Ｒの各内面に沿うように上下に突設されたガイド部２３と、を備え、凹部２２が切欠部１３を裏面側から覆うように設けられる。凹部２２の底面２４には、左側上下に雌ネジが螺刻されたタップ孔２５が２個並設され、右側中央にザグリ穴２６が形成されている。
【００２６】
トロヨケ１０は、ストライク板６のラッチ受け孔１２と切欠部１３の一部分とを裏面側から覆うように凹状に屈曲して形成された箱部２８と、箱部２８の周囲に鍔状に形成されたフランジ部２９と、を備えている。箱部２８の左右側面には、上下の対向する位置にそれぞれ軸孔（図示省略）が形成され、該軸孔及び長孔２１Ｌ，２１Ｒに挿通させた軸部３０の端部をかしめることにより、可動板８がトロヨケ１０に固定されるようになっている。なお、この時、可動板８に長孔２１Ｌ，２１Ｒが形成されているため、トロヨケ１０に対する可動板８の取り付け位置は長孔２１Ｌ，２１Ｒの形成方向（すなわち、奥行き方向）に沿って微調整可能となっている。また、トロヨケ１０のフランジ部２９の上下端部には丸孔３１がそれぞれ形成されており、各丸孔３１に皿ビス３２を挿通して扉枠２に螺入することにより、トロヨケ１０が扉枠２に固定されるようになっている。
【００２７】
ストライク板６の切欠部１３には当接部材３３が配設されており、当接部材３３は、可動板８の右側部１４Ｒに沿うように設けられる本体部３４と、本体部３４から凹部２２の底面２４に沿うように延出する底部３５と、本体部３４から底部３５の反対側外方に延出する頂部３６と、を備えて構成されている。本体部３４には、上下２個のネジ孔３７がそれぞれ左右水平方向に螺刻されており、底部３５には、受け部材９のタップ孔２５に対応する位置に上下２個のビス孔３８が形成されている。また、本体部３４の内面側から頂部３６の表面側に掛けてＬ型に凹部３９が形成されており、凹部３９にはＬ型の受けプレート４０が嵌合可能となっている。そして、この受けプレート４０には、本体部３４のネジ孔３７に対応する位置にビス孔４１が形成されており、このビス孔４１から本体部３４のネジ孔３７に皿ビス４２を螺入することにより、本体部３４と受けプレート４０とが一体化されるようになっている。
【００２８】
当接部材３３と受け部材９の凹部２２の底面２４との間には、複数枚（図示では２枚）の重合可能なライナー板４４が調整部材として介装されている。各ライナー板４４には、当接部材３３の底部３５のビス孔３８及び受け部材９のタップ孔２５に対応する位置に通孔４５が穿設されている。これにより、皿ビス４６をビス孔３８から通孔４５に挿通してタップ孔２５に螺入することにより、当接部材３３と受け部材９とが一体化されると共に、ライナー板４４の重合枚数を変えることにより、当接部材３３のストライク板６からの突出長を所望な長さに調整可能となっている。
【００２９】
受け部材９とトロヨケ１０との間には付勢部材８０が介装されており、付勢部材８０は、上下に細長の板バネ８１を２枚重合させることにより構成されている。なお、付勢部材８０は、１枚の板バネ或いは３枚以上の板バネを重合させることにより構成されていてもよいが、複数枚の板バネを重合させることによりバネの付勢力の設定をより簡単に行うことができるようになる。
【００３０】
各板バネ８１の中央部分８２は表面側に凸状に湾曲されており、その中央には受け部材９のザグリ穴２６に対応した位置に取付孔８３が穿設され、裏面側からこの取付孔８３を介してビス８４をザグリ穴２６に螺入することにより付勢部材８０が受け部材９に固定されるようになっている。また、各板バネ８１の上下両端部８５は表面側に折り返すように屈曲され、トロヨケ１０の箱部２８の底面に線接触可能且つ摺動可能に形成されている。そして、このように付勢部材８０を設けることにより、当接部材３３はストライク板６から突出する方向に付勢して支持される。
【００３１】
次に、図５及び図６を参照しながら扉側の部材５について詳細に説明する。ここで、図５は扉側の部材５を示す側断面図、図６は扉側の部材５を示す平断面図である。
【００３２】
扉側の部材５は、ラッチ錠の錠箱５０を備えており、扉４の室外側及び室内側の面には、外側操作部材４８及び内側操作部材４９としてレバーハンドル（図示省略）がそれぞれ設けられている。ここで「ラッチ錠」とは、ラッチボルトや反転ラッチと称されるラッチ部材を有する錠前のことで、デッドボルトのみを有する本締り錠を除く。したがって、ラッチボルトのみを有する空錠、ラッチボルト又は反転ラッチのいずれかを有すると共に、デッドボルトを持つ錠前（例えば玄関錠）は、ここでのラッチ錠に含まれる。
【００３３】
ラッチ錠の錠箱５０には、外側操作部材４８又は内側操作部材４９の操作力によって回転する駆動カム５２と、その後端部が該駆動カム５２の駆動腕５３と係合し且つ該駆動腕５３の駆動力によって付勢手段８６の付勢力に抗してスライドする摺動制御体５５と、この摺動制御体５５の先端部にその内端部が連結手段５６を介して連結されていると共に角部に相当する中央部が錠箱５０の扉の内壁面側の一側壁に垂直軸５７を介して軸支されるスイング式押圧体５８と、がそれぞれ組み込まれており、押圧体５８の先端部５９は、扉４の木口に設けられる錠箱５０のフロント板６０から常に突出している。
【００３４】
駆動カム５２は、外側操作部材４８及び内側操作部材４９の軸部を連結する角軸６１が貫通する筒状部分６２と、筒状部分６２から下方斜め径方向に延出する長い駆動腕５３と、この駆動腕５３と略反対方向に延出する短い駆動腕５４と、を備えて構成されている。
【００３５】
また、ラッチ錠の錠箱５０には、フロント板６０から進退可能なようにラッチ部材としてのラッチボルト６３が設けられている。ラッチボルト６３は、係合先端部６４と、係合先端部６４の後端面に一体に設けられた棒状のラッチ杵６５と、ラッチ杵６５の後端部に連設された所定長の係合後端部６６と、係合後端部６６と錠箱５０の後壁６７との間に介装されたラッチバネ６８と、を備えて構成されている。
【００３６】
次に、本発明の第１の実施の形態に係る開力軽減錠１の作用について説明する。
【００３７】
図５に示されているように、外側操作部材４８の操作力によりラッチボルト６３がフロント板６０から突出した状態において、外側操作部材４８を押し下げ、駆動カム５２を図５における時計方向へ回転させると、駆動カム５２の短い駆動腕５４がラッチボルト６３の後端部の係合部６９を押し付けるため、ラッチボルト６３は錠箱５０の後壁６７側へ後退する。
【００３８】
次いで、外側操作部材４８の操作力により駆動カム５２をさらに時計方向に回転させ続けると、駆動カム５２の長い駆動腕５３が摺動制御体５５の後端面を当接し、図６に良く示されているように、スイング式押圧体５８は、その後端部が中心線よりも外側にやや偏芯する位置で摺動制御体５５の先端部によって押される。これにより、押圧体５８は、上下の垂直軸５７を支点に水平回転し、押圧体５８の先端部５９は、切欠部１３を通過して当接部材３３の受けプレート４０の角部５１（図４参照）にテコの原理で当接する。このように押圧体５８の先端部５９が受けプレート４０の角部５１に当接した際には反力が発生し、この反力は扉４を開放する方向へ作用し、扉４と扉枠２との間に隙間が生じ、室内外の通気が行われる。これによって、室内外の気圧差が解消され、扉４を容易に開動させることができるようになる。
【００３９】
そして、地震の発生等により扉枠２が変形して当接部材３３が扉４と干渉した場合、図７に示されているように、当接部材３３は、付勢部材８０の付勢力に抗して押圧される。これにより、各板バネ８１の上下両端部８５がトロヨケ１０の箱部２８の底面に沿って上下に摺動し、当接部材３３はストライク板６の表面と面一になるまで可動板８の左右両側部１４Ｌ，１４Ｒの各内面に沿って内側にスライドすることができる。
【００４０】
また、扉枠２がさらに変形して当接部材３３及びストライク板６が扉４に干渉した場合、図８に示されているように、当接部材３３は、付勢部材８０の付勢力に抗してストライク板６と共にさらに押圧される。これにより、各板バネ８１の上下両端部８５は各板バネ８１がトロヨケ１０の箱部２８の底面に沿ってほぼ平坦になるまでトロヨケ１０の箱部２８の底面に沿って上下に摺動し、ストライク板６は上下端部６ａ，６ｂがトロヨケ１０のフランジ部２９に沿って平坦になるまで当接部材３３と共に扉枠２側に移動することができる。
【００４１】
このように、地震の発生等により扉枠２が変形した場合でも、当接部材３３がストライク板６から突出せず、ストライク板６が当接部材３３と共に扉枠２側に移動することによって、当接部材３３やストライク板６が扉４と干渉するのを防止することができるため、扉４を開放することができ、緊急時の避難を円滑且つ確実に行うことができるようになる。
【００４２】
なお、上記した第１の実施の形態において、付勢部材８０は板バネ８１により構成されているが、板バネ以外のバネやゴム等、当接部材３３をストライク板６から突出する方向に付勢して支持可能な部材であれば、他の部材により形成してもよい。
【００４３】
以下、図９〜図１３を参照しつつ、本発明の第２の実施の形態に係る開力軽減錠について説明する。ここで、図９は本発明の第２の実施の形態に係る開力軽減錠の扉枠側の部材を示す断面図、図１０は本発明の第２の実施の形態に係る開力軽減錠の受け部材を示す正面図、図１１は本発明の第２の実施の形態に係る開力軽減錠の受け部材を示す側面図、図１２は図１０のＣ−Ｃ断面図、図１３は本発明の第２の実施の形態に係る開力軽減錠において当接部材及びストライク板が押圧されて受け部材及びストライク板が弾性変形した状態を示す断面図である。なお、以下の説明では、説明の簡略化のため、上記した第１の実施の形態に係る開力軽減錠の扉枠側の部材及び扉側の部材と同様の構成については、図中、同一の符号を付し、その詳細な説明を省略する。
【００４４】
本実施の形態に係る開力軽減錠の扉枠側の部材１００では、ストライク板６及び可動板８の裏面側に当接部材３３を固定する受け部材１０１を設け、この受け部材１０１が上記した第１の実施の形態における付勢部材８０（板バネ８１）として機能するように構成した。
【００４５】
図１０〜図１２に良く示されているように、受け部材１０１は、短冊状の板状部材の上下両端部にそれぞれ形成されるフランジ部１０２ａ，１０２ｂと、各フランジ部１０２ａ，１０２ｂから内側に略直角に屈曲されて形成される上下側面１０３ａ，１０３ｂと、上下側面１０３ａ，１０３ｂの間に凹部１０４を備えるように形成されるように底面１０５と、を備えて構成されている。
【００４６】
上下のフランジ１０２ａ，１０２ｂには、それぞれ、中央に扁平な円柱形状の掛止部１０６ａ，１０６ｂが突設されると共にその左右両側に凸曲面状の突部１０７ａ，１０７ｂが突設されており、上側の掛止部１０６ａの外径は下側の掛止部１０６ｂの外径より小さくなっている。そして、受け部材１０１は、突部１０７ａ，１０７ｂによって位置合わせされ、上下の掛止部１０６ａ，１０６ｂが可動板８の正しい位置の穴に嵌着することにより、可動板８の所定位置に固定される。
【００４７】
底面１０５は、上下側面１０３ａ，１０３ｂのそれぞれの内側端部の間に形成される渡設部１０８と、渡設部１０８から左側に片持ち状に延出して形成される片持ち部１０９と、を備えて構成されている。底面１０５の渡設部１０８の上下両端角部には、それぞれ、裏面側に突出するように弾性部１１０ａ，１１０ｂが形成されている。また、片持ち部１０９には、雌ネジが螺刻された２個のタップ孔１１１が上下に並設されている。
【００４８】
図９及び図１３に示されているように、受け部材１０１の底面１０５と当接部材３３との間には、複数枚（図示では２枚）の重合可能なライナー板４４が調整部材として介装されている。各ライナー板４４には、当接部材３３の底部３５のビス孔３８及び受け部材１０１のタップ孔１１１に対応する位置に通孔４５が穿設されている。これにより、皿ビス４６をビス孔３８から通孔４５に挿通してタップ孔１１１に螺入することにより、受け部材１０１と当接部材３３とが一体化されると共に、ライナー板４４の重合枚数を変えることにより、当接部材３３のストライク板６からの突出長を所望な長さに調整可能となっている。
【００４９】
上記した構成を備えた本実施の形態に係る開力軽減錠において、地震の発生等により扉枠２が変形して当接部材３３が扉４と干渉した場合、当接部材３３が内側に押圧されるに従って、弾性部１１０ａ，１１０ｂの裏面側への突出長が小さくなるように弾性部１１０ａ，１１０ｂが弾性変形すると共に上下側面１０３ａ，１０３ｂの内側部分がそれぞれ上下方向に広がるように弾性変形する。これにより、当接部材３３はストライク板６の表面と面一になるまで内側にスライドする。
【００５０】
また、扉枠２がさらに変形して当接部材３３及びストライク板６が扉４に干渉した場合、図１３に示されているように、当接部材３３は、ストライク板６と共にさらに押圧される。これにより、裏面側がほぼ平坦になるまで弾性部１１０ａ，１１０ｂが弾性変形すると共に上下側面１０３ａ，１０３ｂの内側部分がそれぞれ上下方向にさらに広がるように弾性変形する。さらに、ストライク板６は上下端部６ａ，６ｂがトロヨケ１０のフランジ部２９に沿って平坦になるまで当接部材３３と共に扉枠２側に移動する。
【００５１】
このように、地震の発生等により扉枠２が変形した場合でも、当接部材３３がストライク板６から突出せず、ストライク板６が当接部材３３と共に扉枠２側に移動することによって、当接部材３３やストライク板６が扉４と干渉するのを防止することができるため、扉４を開放することができ、緊急時の避難を円滑且つ確実に行うことができるようになる。
【００５２】
なお、上記した第１及び第２の実施の形態では、当接部材に当接する押圧体として、当接時に垂直軸５７を支点に水平回転するスイング式押圧体５８を使用した場合について説明したが、これは単なる例示に過ぎず、前記押圧体としては、例えば、特開２００４−２８５６５６号公報や特開２００５−１２７０４４号公報に開示されているように、先端部の側面に斜面を有して略くさび状に形成されて扉４の木口から進退自在に設けられる公知な往復動タイプの押圧体を使用する等、各種変更が可能である。
【符号の説明】
【００５３】
１          開力軽減錠
２          扉枠
４          扉
６          ストライク板
９          受け部材（受け部材）
１０        トロヨケ
１２        ラッチ受け孔
１３        切欠部
３３        当接部材
４４        ライナー板（調整部材）
５８        押圧体
６３        ラッチボルト（ラッチ部材）
８０        付勢部材
８１        板バネ
８２        中央部分
８５        上下両端部
１０１      受け部材
１０４      凹部
１０５      底面
１１０ａ，１１０ｂ  弾性部
【図１】
0005879148.tif 000002
【図２】
0005879148.tif 000003
【図３】
0005879148.tif 000004
【図４】
0005879148.tif 000005
【図５】
0005879148.tif 000006
【図６】
0005879148.tif 000007
【図７】
0005879148.tif 000008
【図８】
0005879148.tif 000009
【図９】
0005879148.tif 000010
【図１０】
0005879148.tif 000011
【図１１】
0005879148.tif 000012
【図１２】
0005879148.tif 000013
【図１３】
0005879148.tif 000014